(57)【特許請求の範囲】
【請求項１】
プラグが挿抜されるジャックコネクタと、
前記ジャックコネクタが実装されるジャックコネクタ基板と、
前記ジャックコネクタ基板が固定される本体部材と、を備えた電子機器であって、
前記ジャックコネクタ基板には、前記ジャックコネクタが実装される領域と、前記本体部材に固定される領域が形成され、
前記ジャックコネクタが実装される領域と前記本体部材に固定される領域との間に、前記ジャックコネクタに対して前記プラグを挿抜する方向に延出するスリットが形成され、
前記ジャックコネクタが実装される領域が前記本体部材に固定される領域よりも剛性を持つように、前記ジャックコネクタが実装される領域に補強板が貼着されることを特徴とする電子機器。
【請求項２】
前記本体部材に固定される領域は、前記ジャックコネクタが実装される領域から延出される腕部に形成されることを特徴とする請求項１に記載の電子機器。
【発明の詳細な説明】
【技術分野】
【０００１】
本発明は、プラグが挿抜されるジャックコネクタを備えた電子機器に関するものである。
【背景技術】
【０００２】
プラグが挿抜されるジャックコネクタをプリント基板上に実装して、ジャックコネクタのプラグ挿入口が外装部材に形成した穴から露出するように、電子機器内部にプリント基板を配置することが知られている。
【０００３】
また、このような電子機器では、プラグの挿抜によってジャックコネクタにかかるストレスによって、ジャックコネクタとプリント基板との半田付けが割れてしまうという問題がある。この問題に対して、ジャックコネクタの周囲を補強部材で覆うことで、ジャックコネクタとプリント基板との半田割れを防止することが知られている（特許文献１参照）。
【先行技術文献】
【特許文献】
【０００４】
【特許文献１】特開２００２−７５５５９号公報
【発明の概要】
【発明が解決しようとする課題】
【０００５】
しかしながら、上述の背景技術ではジャックコネクタの周囲を覆うための補強部材を新たに設けなくてはならず、部品点数が増加してしまうとともに、組立工数も増加してしまうという課題がある。また、近年電子機器の小型化が進んだために、このような補強部材を配置するスペースを確保できないという課題もある。
【０００６】
本発明の目的は、このような課題に鑑みて、補強のための新たな部品を追加することなく、ジャックコネクタとジャックコネクタ基板との半田割れを防止することにある。
【課題を解決するための手段】
【０００７】
本発明の電子機器は、プラグが挿抜されるジャックコネクタと、前記ジャックコネクタが実装されるジャックコネクタ基板と、前記ジャックコネクタ基板が固定される本体部材とを備えた電子機器であって、前記ジャックコネクタ基板には、前記ジャックコネクタが実装される領域と、前記本体部材に固定される領域が形成され、前記ジャックコネクタが実装される領域と前記本体部材に固定される領域との間に、前記ジャックコネクタに対して前記プラグを挿抜する方向に延出するスリットが形成され、前記ジャックコネクタが実装される領域が前記本体部材に固定される領域よりも剛性を持つように、前記ジャックコネクタが実装される領域に補強板が貼着されることを特徴とする。
【発明の効果】
【０００８】
本発明によれば、補強のための新たな部品を追加することなく、ジャックコネクタとジャックコネクタ基板との半田割れを防止することが可能となる。
【図面の簡単な説明】
【０００９】
【図１】本実施形態の一例としてのビデオカメラ１の外観図である。
【図２】操作ボタン８および各ジャックコネクタの内部構造を説明する分解斜視図である。
【図３】ジャックコネクタ基板４の展開図である。
【図４】第２の領域４ｂに実装される各ジャックコネクタにそれぞれプラグを挿入した状態を示す図である。
【図５】第２の領域４ｂを各ジャックコネクタの挿入口側から見た斜視図である。
【図６】マイク入力ジャックコネクタ１５にマイクケーブルのプラグ４０を挿入し、プラグ４０に下方向の力を加えた状態を示す図である。
【図７】マイク入力ジャックコネクタ１５にマイクケーブルのプラグ４０を挿入し、プラグ４０に上方向の力を加えた状態を示す図である。
【図８】第１の領域４ａに実装される各ジャックコネクタにそれぞれプラグを挿入した状態を示す図である。
【発明を実施するための形態】
【００１０】
本発明の実施の形態を図に基づき説明する。
図１は、電子機器としてのビデオカメラ本体１を背面から見た斜視図である。ビデオカメラ本体１の背面の略中央位置に、記録動作をスタート・ストップする操作ボタン８が配置されている。操作ボタン８の左側にはＵＳＢジャックコネクタ１２、ＨＤＭＩ出力ジャックコネクタ１３、コンポーネント出力ジャックコネクタ１４が図示するように上下方向に並んで配置されている。そして、操作ボタン８の右側にはマイク入力ジャックコネクタ１５、ＡＶ出力ジャックコネクタ１６、外部電源入力ジャックコネクタ１７が図示するように上下方向に並んで配置されている。
【００１１】
図２は、図１に示す操作ボタン８および各ジャックコネクタの内部構造を説明する分解斜視図である。図２において、バッテリ２を収容するバッテリボックス９には、バッテリ接続部３が取り付けられている。バッテリ接続部３は、板バネ端子３ａ、バッテリワイヤ３ｂ、およびオス型バッテリコネクタ３ｃからなり、板バネ端子３ａは半田付けによりバッテリワイヤ３ｂと接合されている。また、バッテリ２は、バッテリ２をバッテリボックス９に収容したときに、板バネ端子３ａに電気的に接続されるバッテリ端子２ａを備えている。
【００１２】
撮影者に操作ボタン８が押し込まれることでオンするスイッチ８ｂが第１操作部基板５に実装されている。第１操作部基板５はバッテリボックス９の面９ｃに固定され、第１操作部基板５は第２操作部基板７に電気的に接続される。
【００１３】
ジャックコネクタ基板４はバッテリボックス９の３面を覆うように形成されるフレキシブル基板である。ジャックコネクタ基板４には、バッテリボックス９の面９ａに対向して固定される第１の領域４ａ、バッテリボックス９の面９ｂに対向して固定される第２の領域４ｂ、第１の領域４ａおよび第１の領域４ｂをつなぐ第３の領域４ｃが形成される。図２に示すように、メイン基板６はバッテリボックス９の面９ａに対向して固定される。
【００１４】
図３はジャックコネクタ基板４の展開図である。ジャックコネクタ基板４の第１の領域４ａには、ＵＳＢジャックコネクタ１２、ＨＤＭＩ出力ジャックコネクタ１３、コンポーネント出力ジャックコネクタ１４が実装されるとともに、メイン基板６と電気的に接続するためのコネクタ１０が実装される。ジャックコネクタ基板４の第２の領域４ｂには、マイク入力ジャックコネクタ１５、ＡＶ出力ジャックコネクタ１６、外部電源入力ジャックコネクタ１７が実装される。ジャックコネクタ基板４の第３の領域４ｃには、コネクタ３ｃと接続されるバッテリコネクタ１８が実装されるとともに、第２操作部基板７と接続される操作部コネクタ１９が実装される。
【００１５】
ジャックコネクタ基板４の第１の領域４ａに実装される各ジャックコネクタは、すべてデジタル信号を入出力するジャックコネクタである。一方、ジャックコネクタ基板４の第２の領域４ｂに実装される各ジャックコネクタは、すべてアナログ信号を入出力するジャックコネクタである。さらに、ジャックコネクタ基板４の第１の領域４ａがバッテリボックス９の面９ａに固定され、ジャックコネクタ基板４の第２の領域４ｂがバッテリボックス９の面９ｂに固定される。したがって、ジャックコネクタ基板４の第１の領域４ａと第２の領域４ｂとは、バッテリボックス９によって分離されてた状態となる。これによって、１つのジャックコネクタ基板にデジタル信号を入出力するジャックコネクタと、アナログ信号を入出力するジャックコネクタとを実装したとしても、デジタル信号とアナログ信号のセパレーションを確保することが可能となる。
【００１６】
図４はジャックコネクタ基板４の第２の領域４ｂに実装される各ジャックコネクタにそれぞれプラグを挿入した状態を示す図である。
【００１７】
図４に示すように、マイク入力ジャックコネクタ１５にはマイクケーブルのプラグ４０が挿入され、ＡＶ出力ジャックコネクタ１６にはＡＶケーブルのプラグ５０が挿入され、外部電源入力ジャックコネクタ１７には電源ケーブルのプラグ６０が挿入されている。
【００１８】
図４に示すように、ジャックコネクタ基板４の第２の領域４ｂには、腕部２４、２５が形成されている。腕部２４は第２の領域４ｂに実装される各ジャックコネクタに対してプラグを挿抜する方向に延出され、各ジャックコネクタが実装される領域との間にスリット２２が形成されている。同様に、腕部２５は第２の領域４ｂに実装される各ジャックコネクタに対してプラグを挿抜する方向に延出され、各ジャックコネクタが実装される領域との間にスリット２３が形成されている。また、各ジャックコネクタが実装される領域は、腕部２４、２５よりも剛性を持つように、フレキシブルプリント基板に補強板３４が貼着されている。
【００１９】
グランド板金２９は導電性を有する部材で形成され、バッテリボックス９の面９ａ、面９ｂ、面９ｃをつなぐように配置されている。グランド板金２９はジャックコネクタ基板４が固定される本体部材として機能する。ジャックコネクタ基板４の第２の領域４ｂは、グランド板金２９のうち、バッテリボックス９の面９ｂに配置される部分にビス止めされる。したがって、ジャックコネクタ基板４の第２の領域４ｂは、バッテリボックス９の面９ｂに固定されている。腕部２４の先端にはビス穴２０ａが形成され、腕部２５の先端にはビス穴２１ａが形成されている。ビス穴２０ａにビス２０をビス締めし、ビス穴２１ａにビス２１をビス締めすることで、ジャックコネクタ基板４の第２の領域４ｂはグランド板金２９にビス止めされる。図４にて符号７０はビデオカメラ本体１の外装部材である。
【００２０】
図５は、ジャックコネクタ基板４の第２の領域４ｂを各ジャックコネクタの挿入口側から見た斜視図である。図５に示すようにそれぞれのジャックコネクタにプラグが挿抜される際には、図５に図示するように、上下左右方向の力が加えられることになる。
【００２１】
図６（ａ）はマイク入力ジャックコネクタ１５にマイクケーブルのプラグ４０を挿入し、プラグ４０に矢印Ｆの力を加えた状態を示している。図６（ｂ）は図６（ａ）の状態でのマイク入力ジャックコネクタ１５とジャックコネクタ基板４の第２の領域４ｂとの半田付け部３０を拡大した図である。図６（ａ）の矢印Ｆの方向は図５における下方向に相当する。図６（ａ）（ｂ）に示すように、プラグ４０に矢印Ｆ方向の力を与えて、マイク入力ジャックコネクタ１５が動いたとしても、ジャックコネクタ基板４のマイク入力ジャックコネクタ１５が実装される領域も同じ方向に動く。したがって、半田付け部３０にストレスがかかることがなく、半田割れが発生することがない。
【００２２】
図７（ａ）はマイク入力ジャックコネクタ１５にマイクケーブルのプラグ４０を挿入し、プラグ４０に矢印Ｆ’の力を加えた状態を示している。図７（ｂ）は図７（ａ）の状態でのマイク入力ジャックコネクタ１５とジャックコネクタ基板４の第２の領域４ｂとの半田付け部３０を拡大した図である。図７（ａ）の矢印Ｆ’の方向は図５における上方向に相当する。図７（ａ）（ｂ）に示すように、プラグ４０に矢印Ｆ’方向の力を与えて、マイク入力ジャックコネクタ１５が動いたとしても、ジャックコネクタ基板４のマイク入力ジャックコネクタ１５が実装される領域も同じ方向に動く。したがって、半田付け部３０にストレスがかかることがなく、半田割れが発生することがない。
【００２３】
ジャックコネクタ基板４の第２の領域４ｂが腕部２４、２５の先端にて金属部材２９に固定されることで、マイク入力ジャックコネクタ１５の動きに対して、ジャックコネクタ基板４のマイク入力ジャックコネクタ１５が実装される領域が追従する。グランド板金２９に固定される腕部２４、２５と、マイク入力ジャックコネクタ１５が実装される領域との間にスリット２２、２３が形成されることで、補強板３４が貼着されていない腕部２４、２５だけが変形する。そして、補強板３４が貼着されているマイク入力ジャックコネクタ１５が実装される領域は変形しない。
【００２４】
図８は、ジャックコネクタ基板４の第１の領域４ａに実装される各ジャックコネクタにそれぞれプラグを挿入した状態を示す図である。
【００２５】
図８に示すように、ＵＳＢジャックコネクタ１２にはＵＳＢケーブルのプラグ８０が挿入されている。ＨＤＭＩ出力ジャックコネクタ１３にはＨＤＭＩケーブルのプラグ９０が挿入されている。コンポーネント出力ジャックコネクタ１４にはコンポーネントケーブルのプラグ１００が挿入されている。
【００２６】
図８に示すように、ジャックコネクタ基板４の第１の領域４ａには、腕部３１が形成されている。腕部３１は、第１の領域４ａに実装されている各ジャックコネクタのプラグ挿入口とは反対側の一辺から鉤状に延出形成されている。腕部３１と各ジャックコネクタが実装される領域との間にはスリット３２が形成されている。そして、腕部３１の先端にはビス穴３１ａが形成され、ビス穴３１ａにビス３２をビス締めすることで、ジャックコネクタ基板４の第１の領域４ａはグランド板金２９のうち、バッテリボックス９の面９ａに配置される部分にビス止めされる。さらに、各ジャックコネクタが実装される領域は、腕部３１よりも剛性を持つように、フレキシブルプリント基板に補強板３３が貼着されている。
【００２７】
したがって、ＵＳＢケーブルのプラグ８０をＵＳＢジャックコネクタ１２に挿入して、プラグ８０に力を上下方向の加えたとしても、補強板３３が貼着されていない腕部３１だけが変形する。そして、補強板３３が貼着されているＵＳＢジャックコネクタ１２が実装される領域は、ＵＳＢジャックコネクタ１２と一体となって動く。これによって、ＵＳＢジャックコネクタ１２の半田付け部にストレスがかかることがなく、半田割れが発生することがない。
【００２８】
以上、説明したように、本実施形態は、ジャックコネクタ基板の各ジャックコネクタが実装される領域に補強板を貼着するとともに、補強板を貼着しない腕部を実装領域から延出させて、その腕部で基板を固定している。このような構成によって、ジャックコネクタに挿入されたプラグに力を与えても、ジャックコネクタと基板との間の半田付け部に過大なストレスが加わることがない。したがって、基板とジャックコネクタとの間の半田割れを防止することが可能となる。
【符号の説明】
【００２９】
４  ジャックコネクタ基板
１２  ＵＳＢジャックコネクタ
１３  ＨＤＭＩ出力ジャックコネクタ
１４  コンポーネント出力ジャックコネクタ
１５  マイク入力ジャックコネクタ
１６  ＡＶ出力ジャックコネクタ
１７  外部電源入力ジャックコネクタ
２２、２３、３２  スリット
２４、２５、３１  腕部
２９  グランド板金
【図１】
0005550326.tif 000002
【図２】
0005550326.tif 000003
【図３】
0005550326.tif 000004
【図４】
0005550326.tif 000005
【図５】
0005550326.tif 000006
【図６】
0005550326.tif 000007
【図７】
0005550326.tif 000008
【図８】
0005550326.tif 000009